(57)【要約】【課題】  撮像素子の撮像面に付着した塵や埃を除去してカメラボディの外部に排出することを可能にしたデジタルカメラ及びそのクリーニング装置を提供する。【解決手段】  クリーニング装置２０をカメラボディ１に取着した状態でモータ２７によりターボファン２６を駆動すると、吸引管部２１の管内を通して矩形ヘッド２３の吸引口２４から空気の吸引動作を行ない、カメラボディ１内の空気を吸引管部２１を通して吸引し、外部に排出する。この吸引動作により、撮像素子ユニット８のカバーガラス８ｃの表面はヘッドとの微小間隙ｄにおいて吸引口２４に向かっての高速の空気流が生じ、その際の空気流圧力によってカバーガラス８ｃに付着している塵や埃が引き剥がされるように除去され、クリーニング装置２０を通して外部に排出され、クリーニングが可能になる。【選択図】  図５
2005354330.tif 000002
【特許請求の範囲】
【請求項１】
カメラボディに対してレンズの着脱が可能で、かつ当該カメラボディ内に撮像素子を備えるデジタルカメラであって、前記撮像素子の撮像面に付着した塵や埃を除去するクリーニングを行う際に、前記撮像面を露呈した状態に保持するクリーニングモードの設定が可能であることを特徴とするデジタルカメラ。
【請求項２】
撮影時に光路から退避する可動ミラーと、撮影時に前記撮像面を光路に対して露呈させるシャッタとを備える一眼レフ方式のデジタルカメラであって、クリーニングモードのときに前記可動ミラーを退避位置に移動し、前記シャッタを開放状態に保持することを特徴とする請求項１に記載のデジタルカメラ。
【請求項３】
前記カメラボディには前記撮像面をクリーニングするためのクリーニング装置が装着可能であり、前記クリーニング装置を装着したときに前記クリーニング装置を駆動するための電力を供給する電極端子を備えることを特徴とする請求項１又は２に記載のデジタルカメラ。
【請求項４】
カメラボディ内に配設されている撮像素子の撮像面に付着した塵や埃を除去するためのクリーニング装置であって、前記カメラボディに設けられてレンズの着脱可能なレンズマウントに装着でき、装着されたときに前記撮像面に対してヘッドの先端面が対向配置されるとともに当該ヘッドの先端面に空気の吸引口が開口された吸引管部と、前記吸引管部を通して前記カメラボディ内の空気を吸引排気する吸引手段とを備えることを特徴とするカメラのクリーニング装置。
【請求項５】
前記ヘッドの先端面は前記撮像面に対して微小間隙おいて対向配置されることを特徴とする請求項４に記載のカメラのクリーニング装置。
【請求項６】
前記ヘッドは、少なくとも前記撮像素子の撮像領域を含むサイズに形成されていることを特徴とする請求項５に記載のカメラのクリーニング装置。
【請求項７】
前記レンズマウントに当接して前記ヘッドの位置決めを行うフランジを備えることを特徴とする請求項５又は６に記載のカメラのクリーニング装置。
【請求項８】
前記フランジには前記カメラボディ内への空気の流入を可能にする吸気口と、当該吸気口に設けられたフィルタとを備えることを特徴とする請求項７に記載のカメラのクリーニング装置。
【請求項９】
前記吸引手段はモータを駆動源とする排気ファンとして構成されることを特徴とする請求項４ないし８のいずれかに記載のカメラのクリーニング装置。
【請求項１０】
前記カメラボディに取着したときに前記モータを前記カメラボディの電源に電気接続して電源供給を受ける電極が設けられていることを特徴とする請求項９に記載のカメラのクリーニング装置。
【請求項１１】
前記吸引手段は手動で排気動作を行う吸引器であることを特徴とする請求項４ないし８のいずれかに記載のカメラのクリーニング装置。
【発明の詳細な説明】
【技術分野】
【０００１】
本発明はデジタル一眼レフカメラのように、被写体像を画像信号として取り込む撮像素子を備えるとともにカメラボディに対してレンズの着脱が可能なカメラに関し、特に撮像素子の撮像面への塵や埃の付着を防止したカメラ及びクリーニング装置に関するものである。
【背景技術】
【０００２】
デジタル一眼レフカメラはカメラボディに対して異なる種類のレンズを交換することが可能であるため、カメラボディからレンズを取り外したときにレンズマウント開口部を通してカメラボディの内部が露呈され、外部環境の塵や埃がカメラボディ内に侵入され易い。カメラボディ内に侵入した塵や埃はミラーボックス内に滞留している状態ではミラーやピントグラスの表面に付着してこれらの汚れの要因になるが、これらの塵や埃はレンズマウント開口部からブロアー等によってクリーニングすることは容易である。ところがミラーボックス内の塵や埃の一部は、カメラのレリーズ時に開放されるシャッタを通してＣＣＤやＣＭＯＳ等の撮像素子の撮像面に付着する。撮像面に付着した塵や埃は結像された被写体像の光が撮像素子にまで到達することを阻害するため、これらの塵や埃は撮像素子で得られる画像信号における画像欠陥の原因となる。なお、一般的なデジタルカメラでは撮像素子はカバーガラスによって撮像面が保護された撮像素子ユニットとして構成されていることが多いので、本明細書及び特許請求の範囲における撮像素子の撮像面とはこのようなカバーガラスの表面を含めたものとする。
【０００３】
このような撮像素子の撮像面に付着する塵や埃が要因となる画像欠陥を防止するために、特許文献１の技術では撮像素子の撮像面に塵や埃が付着することを防止する防塵ケーシングを設けるとともに、この防塵ケーシングは撮像素子の撮像面に対してデフォーカスとなる位置に設け、防塵ケーシングの表面に塵や埃が付着しても画像欠陥を生じることがないようにしている。また、特許文献２の技術では撮像素子の撮像面に塵や埃が付着することを防止する防塵光学部材を設けており、この防塵光学部材を振動させることによって防塵光学部材の表面に塵や埃が付着することを防止し、あるいは付着した塵や埃を落下させて除去し、画像欠陥を生じることがないようにしている。
【特許文献１】特許第３５２０９１４号公報
【特許文献２】特開２００４−３２１９１号公報
【発明の開示】
【発明が解決しようとする課題】
【０００４】
特許文献１の技術では、防塵ケーシングに付着した塵や埃が小さい場合、あるいは少ない場合には有効であるが、大きい塵や埃の場合や塵や埃の量が多い場合には撮像素子に対する遮光の影響が無視できなくなり、撮像素子で得られる画像信号への感度に影響をおよぼすことになる。また、特許文献１の技術では付着した塵や埃を除去し、あるいはカメラボディ内に侵入した塵や埃を除去するための技術については何ら開示されていないため、カメラボディ内に滞留される塵や埃を除去する根本的な対策にはなっていない。
【０００５】
特許文献２の技術では、塵や埃の付着の防止や付着した塵や埃の除去は防塵光学部材における振動の程度に依存することが想定されるため、振動が弱いと十分な防塵効果が期待できず、振動を強くするとカメラ全体に振動が伝わり違和感を感じてしまう。また、特許文献１と同様に、カメラボディ内に侵入した塵や埃をカメラボディの外部に除去するための技術については何ら開示されていないため、防塵光学部材に付着することが防止された塵や埃、あるいは防塵光学部材から除去された塵や埃は依然としてカメラボディ内に滞留していることになり、カメラボディ内を根本的にクリーニングするものとはなっていない。
【０００６】
本発明の目的は、撮像素子の撮像面に付着した塵や埃を除去してカメラボディの外部に排出することを可能にしたデジタルカメラ及びそのクリーニング装置を提供するものである。
【課題を解決するための手段】
【０００７】
本発明は、カメラボディに対してレンズの着脱が可能で、かつ当該カメラボディ内に撮像素子を備えるカメラであって、撮像素子の撮像面に付着した塵や埃を除去するクリーニングを行う際に、撮像面を露呈した状態に保持するクリーニングモードの設定が可能であることを特徴とする。例えば、撮影時に光路から退避する可動ミラーと、撮影時に撮像面を光路に対して露呈させるシャッタとを備えるデジタル一眼レフカメラであって、クリーニングモードのときに可動ミラーを退避位置に移動し、シャッタを開放状態に保持する構成とする。
【０００８】
本発明は、カメラボディ内に配設されている撮像素子の撮像面に付着した塵や埃を除去するためのクリーニング装置であって、カメラボディに設けられてレンズの着脱可能なレンズマウントに装着でき、装着されたときに前記撮像面に対してヘッドの先端面が対向配置されるとともに当該ヘッドの先端面に空気の吸引口が開口された吸引管部と、吸引管部を通してカメラボディ内の空気を吸引排気する吸引手段とを備えることを特徴とする。ここで、ヘッドの先端面は撮像面に対して微小間隙おいて対向配置される構成とすることが好ましい。また、ヘッドは、少なくとも撮像素子の撮像領域を含むサイズに形成される。さらに、レンズマウントに当接してヘッドの位置決めを行うフランジを備えることが好ましい。
【発明の効果】
【０００９】
本発明によれば、クリーニングモードの設定により撮像面を露呈した状態を保持することができ、撮像面のクリーニングを容易に行うことが可能になる。また、本発明によれば、クリーニング装置をカメラボディに取着した状態で吸引手段を駆動すると、吸引管部の管内は負圧状態となってヘッドの先端面の吸引口から空気の吸引動作を行ない、カメラボディ内の空気を吸引管部を通して吸引する。この吸引動作により、撮像素子ユニットのカバーガラスの表面ではヘッドとの微小間隙において吸引口に向かっての高速の空気流が生じ、その際における空気流圧力によって撮像面に付着している塵や埃が引き剥がされるように除去され、吸引管部の管内から外部に排出され、撮像面のクリーニングが可能になる。
【発明を実施するための最良の形態】
【００１０】
本発明のデジタルカメラの好ましい形態として、カメラボディには撮像面をクリーニングするためのクリーニング装置が装着可能であり、クリーニング装置を装着したときにクリーニング装置を駆動するための電力を供給する電極端子を備えることが好ましい。
【００１１】
本発明のクリーニング装置の好ましい形態として、フランジにはカメラボディ内への空気の流入を可能にする吸気口と、当該吸気口に設けられたフィルタとを備えることが好ましい。また、吸引手段はモータを駆動源とする排気ファンとして構成される。この場合には、カメラボディに取着したときに当該モータをカメラボディの電源に電気接続して電源供給を受ける電極が設けられることが好ましい。さらに、吸引手段は手動で排気動作を行う吸引器で構成してもよい。
【実施例１】
【００１２】
次に、本発明の実施例を図面を参照して説明する。図１は本発明をレンズ交換式のデジタル一眼レフカメラに適用した実施例の外観図であり、カメラボディ１の前面にレンズマウント２が設けられ、このレンズマウント２を利用して図には表れない種々の交換レンズが着脱可能とされている。図２は前記カメラボディ１のレンズ光軸Ｏｘに沿った概略断面図であり、前記カメラボディ１は前記レンズマウント２の開口部を通してミラーボックス３が露呈されており、ミラーボックス３内には上下に往復回動可能な可動ミラー４が内装され、またピントガラス５やシャッタ６が臨設されている。前記ピントガラス５上にはペンタプリズム７ａ及び接眼レンズ７ｂを含むファインダ光学系７が配設されている。また、前記シャッタ６の背後にはカメラボディ１に装着されたレンズで結像した被写体像を撮像して画像信号を出力する撮像素子ユニット８が配設されている。前記撮像素子ユニット８は、ＣＣＤやＣＭＯＳ等の光電変換素子からなる撮像素子８ａをパッケージ８ｂに内装し、撮像素子８ａの撮像面の前側に配設したカバーガラス８ｃにより封止した構成となっている。このデジタル一眼レフカメラでは、非レリーズ時には可動ミラー４は実線のように下降した位置にあり、シャッタ６が閉じており、レンズで結像された被写体像は可動ミラー４で反射されてピントガラス５に結像され、ファインダ光学系７で観察される。また、レリーズ時には可動ミラー４は上方に移動し、シャッタ６が開き、レンズで結像された被写体像は撮像素子ユニット８内の撮像素子８ａの撮像面に結像され、撮像素子８ａからは光電変換された画像信号が出力される。
【００１３】
図１に示したように前記カメラボディ１の上面には、前記したレリーズ動作を行わせるためのレリーズボタン９や各種モードを切り換えるためのモードダイヤル１０が設けられているが、この実施例では当該モードダイヤル１０で切り換えるモードとしてクリーニングモードが選択可能とされている。このモードダイヤル１０につながる電気回路についての説明はここでは省略するが、モードダイヤル１０をクリーニングモードに切り換えると、可動ミラー４が上動され、シャッタ６が開いた状態になる。この状態からモードダイヤル１０を他のモードに切り換えると可動ミラー４は下動復帰し、シャッタ６も閉じた状態に戻される。また、前記カメラボディ１内には前記レンズマウント２の内側に沿った位置に、カメラボディ１内に内装されている図示を省略したバッテリからの所定電圧が出力される２つのクリーニング電極端子１２が並んで配設されており、後述するクリーニング装置２０をカメラボディ１に装着したときに当該クリーニング装置２０に前記所定電圧を供給することができる構成となっている。
【００１４】
図３は前記デジタル一眼レフカメラに適用されるクリーニング装置の外観斜視図であり、図４（ａ）はその中心軸に沿う断面図、図４（ｂ）は同図（ａ）のＢ−Ｂ線断面図である。クリーニング装置２０は前記撮像素子ユニット８のカバーガラス８ｃの表面に付着した塵や埃を除去するように構成されており、前記カメラボディ１のレンズマウント２の開口部からカメラボディ１内に挿入することが可能で、内部に空気を通流可能な管状をした吸引管部２１と、前記吸引管部２１の背後に一体に設けられた吸引部２２とを備えている。前記吸引管部２１は前記シャッタ６が開いたときに当該シャッタ６を挿通し、前記撮像素子ユニット８のカバーガラス８ｃに対向位置される矩形ヘッド２３を一体に有している。この矩形ヘッド２３は外形が少なくとも撮像素子８ａの撮像面のサイズ以上の形状、寸法に形成され、かつ先端面２３ａは平坦にされ、その中央には前記吸引管部２１の内部に連通する円形の吸引口２４が開口されている。また、前記吸引管部２１の基部には前記レンズマウント２のマウント面に当接可能な円形のフランジ２５を一体に有している。このフランジ２５は前記レンズマウント２に固定的に取着できるような構成にすることが好ましく、この実施例ではフランジ２５にはレンズに設けられているのと同様なバヨネット片２５ａが設けられており、フランジ２５を管軸回りに小角度だけ回動してバヨネット片２５ａをレンズマウント２のバヨネット溝に嵌合させることで、フランジ２５をレンズマウント２に固定的に取着できるように構成している。そして、前記吸引管部２１の先端の矩形ヘッド２３を前記カメラボディ１のレンズマウント２の開口部からカメラボディ１内に挿入し、フランジ２５をレンズマウント２のマウント面に当接したときには、当該矩形ヘッド２３は開放されているシャッタ６を挿通し、その先端面２３ａが前記撮像素子ユニット８のカバーガラス８ｃの表面に対して微小な間隙を保った状態で対向配置するように吸引管部２１の長さ寸法が設定されている。この場合、前記シャッタ６内にはフランジ２５をバヨネット片２５ａによりレンズマウント２に嵌合する際に矩形ヘッド２３が吸引管部２１と一体的に回動することが可能な余裕が設けられている。あるいは、矩形ヘッド２３を吸引管部２１に対して回転自在に連結した構成とし、矩形ヘッド２３をシャッタ６内に挿入した状態でもフランジ２５側のみを回動させてレンズマウント２への嵌合を可能にするように構成してもよい。
【００１５】
前記クリーニング装置２０の吸引部２２は、前記吸引管部２１の基端部にフランジ２５と共に一体に形成されたターボファン２６と、このターボファン２６を駆動するモータ２７とを備えている。前記ターボファン２６は前記吸引管部２１内に連通する短円筒容器状のファン室２６ａと、このファン室２６ａに内装されて前記モータ２７の回転軸２７ａに取着されて当該モータ２７によって回転駆動される回転羽根２６ｂとで構成され、当該回転羽根２６ｂが回転駆動されたときにファン室２６ａの円周複数箇所に設けられた排気口２６ｃを通してファン室２６ａ内ないし前記吸引管部２１の管内の空気を強制排気するように構成される。
【００１６】
また、前記フランジ２５には前記レンズマウント２の内径位置に対応する径位置においてカメラボディ１内に向けて管軸方向に突出された２本の電極ピン２８がバネ２８ａ等によって当該管軸方向に出没可能に支持されており、前記フランジ２５をレンズマウント２に当接したときに前記各電極ピン２８がそれぞれ前記カメラボディ１内に配設されている前記クリーニング電極端子１２に接触して電気的に接続されるようになっている。前記電極ピン２８は電気コード２８ｂにより前記モータ２７に電気接続され、クリーニング電極端子１２を通して前記モータ２７に前記所要電圧を供給することが可能とされている。また、前記フランジ２５には前記吸引管部２１の外径位置においてフランジ２５を板厚方向に貫通する複数個の吸気口２５ｂが円周方向に貫通されており、フランジ２５をレンズマウント２のマウント面に当接したときにこれらの吸気口２５ｂはカメラボディ１内を外部に連通させるようになっている。なお、前記フランジ２５とターボファン２６のファン室２６ａとの間には環状をしたフィルタ２９が介在されており、前記吸気口２５ｂを通流される空気に含まれる塵や埃を除去するようになっている。
【００１７】
以上の構成のクリーニング装置２０を用いてカメラボディ１内の撮像素子ユニット８をクリーニングする方法を説明する。図５はクリーニング装置２０を用いてクリーニングを行っている状態を示す断面図である。図外のレンズをカメラボディ１から取り外した後、モードダイヤル１０をクリーニングモードに切り換える。これにより、可動ミラー４は上方に退避されるとともに、シャッタ６が開放状態となり、ミラーボックス３の奥に撮像素子ユニット８のカバーガラス８ｃが露呈された状態となる。その上でクリーニング装置２０の吸引管部２１の矩形ヘッド２３をレンズマウント２の開口部からカメラボディ１内に挿入して行き、フランジ２５をレンズマウント２のマウント面に当接し、フランジ２５を管軸回りに小角度回動してフランジ２５に設けたバヨネット片２５ａによってレンズマウント２に固定的に取着する。このようにして取着した状態では、吸引管部２１の先端の矩形ヘッド２３はミラーボックス３及びシャッタ６を通して挿入され、その先端面２３ａは微小間隙ｄをもって撮像素子ユニット８のカバーガラス８ａの表面に対向配置される。このとき、フランジ２５の回動により矩形ヘッド２３も小角度だけ回動されるが、シャッタ６に設けられた余裕により、あるいはフランジ２５を回動自在とする構成を採用することにより、矩形ヘッド２３を所定の位置に所定の姿勢で位置させることができることは前述の通りである。
【００１８】
これと同時にフランジ２５に設けた電極ピン２８がレンズマウント２の内径位置においてクリーニング電極端子１２に弾性的に接触して電気接続されるため、モードダイヤル１０がクリーニングモードに切り換えられたときに供給されているバッテリの所定電圧がクリーニング電極端子１２から電極ピン２８を介し、さらに電気コード２８ｂを介してモータ２７に供給される。これによりモータ２７は回転駆動され、回転羽根２６ｂを回転駆動して破線矢印で示すように、ファン室２６ａ内の空気を排気口２６ｃから排気する。この排気動作により吸引管部２１の管内は負圧状態となり、矩形ヘッド２３の先端面２３ａの吸引口２４から空気の吸引動作を行ない、カメラボディ１内の空気を吸引管部２１を通して吸引し、前述のように排気口２６ｃを通して外部に排気する。なお、カメラボディ１内にはフィルタ２９を通した清浄な空気がフランジ２５の吸気口２５ｂからカメラボディ１内に吸気される。この一連の空気の吸引動作により、撮像素子ユニット８のカバーガラス８ｃの表面では矩形ヘッド２３の先端面２３ａとの微小間隙ｄにおいて周辺から中央に向けて求心状に空気が流れ、この空気流でのベンチュリ効果によって空気の流速が著しく高速になり、その空気流圧力によってカバーガラス８ｃの表面に付着していた塵や埃が引き剥がされるように除去され、空気流に乗って吸引管部２１の管内を通して外部に排出される。これにより、カバーガラス８ｃの表面がクリーニングされる。また、同時にカメラボディ１内に浮遊している塵や埃も同時に外部に除去される。
【００１９】
クリーニング後はクリーニング装置２０をカメラボディ１から取り外し、モードダイヤル１０をクリーニングモードから他のモードに切り換えるとシャッタ６は閉じ、可動ミラー４は下動して通常状態に復帰する。この状態ではミラーボックス３内はレンズマウント２の開口部を通して外部に露呈されるが、撮像素子ユニット８のカバーガラス８ｃの表面はシャッタ６により閉塞されて外部とつながるミラーボックス３内とは遮断されるので新たに塵や埃が付着することは防止される。
【００２０】
以上の実施例ではカメラをクリーニングモードに設定することで可動ミラー４を上動しシャッタ６を開放にしているが、このようなモードを設けなくてもシャッタ速度を所謂バルブに設定すれば、レリーズボタン９を押下している間は可動ミラー４を上動してシャッタ６を開放にすることができ、クリーニング装置２０による前述のクリーニング動作を行うことは可能である。しかし、この場合にはクリーニング中はレリーズボタン９を押下し続けていなければならないという不便がある。この点本発明の実施例のようにクリーニングモードを設けることでレリーズボタン９を押下し続ける必要はなく、クリーニングを容易に行うことが可能になる。
【００２１】
実施例１では、モータ２７によってクリーニング装置２０での空気吸引を行うので高速の空気流を連続的に発生させることができ、高い塵や埃の除去効果を得ることができる。また、モータ２７はカメラボディ１に内蔵されているバッテリを利用しているので、独立した専用のバッテリを備える必要はなく、クリーニング装置が大型化することを抑制できる。さらに、クリーニングに際しては特許文献２のようにカメラに振動を生じさせることがなく、カメラを所持している者に対して違和感を生じさせることもない。また、カバーガラスの表面を非接触でクリーニングできるので、カバーガラスを汚したり傷つけたりするようなこともない。
【実施例２】
【００２２】
図６は実施例２のクリーニング装置２０Ａの外観図、図７はこのクリーニング装置２０Ａを用いてクリーニングを行っている状態の断面図である。実施例２では手動によりカメラボディ１内の空気を吸引動作して撮像素子ユニット８のカバーガラス８ｃに付着した塵や埃を除去するように構成したもので、実施例１に比較して簡易型のクリーニング装置として構成した例である。なお、図６及び図７において実施例１と等価な部分には同一符号を付してある。この実施例２では、吸引管部２１の先端には矩形ヘッド２３が設けられその先端面２３ａには吸引管部２１の管内につながる吸引口２４が開口されている。また、吸引管部２１の基端部にはフランジ２５が設けられている。また、フランジ２５にはバヨネット片２５ａと共に吸気口２５ｂが開口され、フィルタ２９が取着されていることは実施例１と同じである。ただし、実施例２では吸引管部２１の基端部には単に筒状の吸引管２１Ａが一体に設けられているのみであり、本発明にかかる吸引手段は別体に設けられており、後述するように手動動作される吸引手段がこの吸引管２１Ａに対して連結可能に構成されている。
【００２３】
前記吸引管に連結される手動の吸引手段として、例えば、図８に示すような注射器型吸引器３０が利用できる。この吸引器３０は注射器と同様に、先端に吸引口３１ａを開口した外筒３１内にプランジャ３２が軸方向に往復移動可能に内挿されており、プランジャ３２を外筒３１から引抜き方向に移動することで吸引口３１ａを通して外筒３１内に空気を吸引する構成である。また、この吸引器３０は外筒３１内の先端側にプランジャ３２を引抜き方向に付勢するスプリング３３が内装されるとともに、プランジャ３２が引抜き方向に移動することを係止するための係止レバー３４が設けられている。このような吸引器としては、半田付け作業時に余剰半田を吸引除去するための半田吸引器を利用することが可能である。
【００２４】
この吸引器３０の吸引口３１ａを実施例２のクリーニング装置２０Ａの吸引管２１Ａに直接、あるいはゴム管等を用いて連結する。そして、図７に示したように、実施例１と同様にカメラボディ１をクリーニングモードにして可動ミラー４を上動し、シャッタ６を開放してクリーニング装置２０Ａの吸引管部２１をカメラボディ１内に挿入する。このとき、フランジ２５をレンズマウント２のマウント面に当接し、好ましくはバヨネット片２５ａによって固定取着することで矩形ヘッド２３を撮像素子ユニット８のカバーガラス８ｃの表面に微小間隙ｄで対向配置する。しかる上で、吸引器３０の係止レバー３４を操作して係止を解除し、プランジャ３２を自由にすると、スプリング３３力によってプランジャ３２は引抜き方向に移動され、吸引口３１ａから空気を吸引する。これにより、クリーニング装置２０Ａの吸引管部２１を通してカメラボディ１内の空気が吸引排気される。これにより、実施例１と同様に矩形ヘッド２３の先端面２３ａとカバーガラス８ｃの表面との微小間隙ｄにおける空気流によってカバーガラス８ｃに付着している塵や埃を除去することができる。
【００２５】
あるいは、手動の吸引手段として、図９に示すようなブロア型吸引器４０が利用できる。このブロア型吸引器４０はゴムや柔軟な樹脂で形成された袋体４１と、この袋体４１の開口部に設けられた吸引筒４２とで構成される。袋体４１は手で押し縮め、その後自己の弾性力によって復帰させることで袋体４１の内外に空気を出し入れすることができる。吸引筒４２には排気筒４３が枝状に設けられ、吸引筒４２内に設けられた吸引弁４４は外部から空気を吸引することのみが可能であり、排気筒４３内に設けられた排気弁４５は外部に空気を排気することのみが可能とされている。
【００２６】
このブロア型吸引器４０の吸引筒４２を実施例２のクリーニング装置２０Ａの吸引管２１に直接、あるいはゴム管等を用いて連結する。そして、図７に示したように実施例１と同様にカメラボディ１をクリーニングモードにして可動ミラー４を上動し、シャッタ６を開放してクリーニング装置２０Ａの矩形ヘッド２３をカメラボディ１内に挿入する。このとき、矩形ヘッド２３に対して吸引管部２１を軸回り方向に回動自在な構成としておくことで、矩形ヘッド２３を所要の姿勢で所要の位置にまで挿入することが容易になることは実施例１と同じである。しかる上で、袋体４１を押し縮めて袋体４１の内部の空気を排気筒４３から排気し、次いで袋体４１を自由にして弾性復帰させると吸引筒４２を通して袋体４１内に空気を吸引する。この際の吸引により、クリーニング装置２０Ａの吸引管部２１を通してカメラボディ１内の空気が吸引排気される状態となり、この際のカメラボディ１内での空気流によって実施例１と同様に矩形ヘッド２３の先端面２３ａとカバーガラス８ｃの表面との微小間隙ｄにおける空気流によってカバーガラス８ｃに付着している塵や埃を除去することができる。
【００２７】
実施例２では、手動でクリーニング装置２０Ａでの吸引動作を行ってカメラボディ１内の空気の吸引排気を行うため、クリーニング装置に実施例１のようなモータ及びモータを駆動するための電気コードや電極は不要であり、クリーニング装置を小型、軽量、かつ廉価に構成することができる。また、実施例２のクリーニング装置のみに対応するカメラの場合には、カメラボディ１にクリーニング電極端子１２を設ける必要もない。
【００２８】
ここで、前記各実施例のクリーニング装置では、矩形ヘッド２３には吸引管部２１に連通する一つの吸引口２４が開口されているのみであるが、撮像素子ユニット８のカバーガラス８ｃの全表面に対して均等な位置に複数個の吸引口を開口し、これらの吸引口をそれぞれ吸引管部２１の管内に連通するように構成してもよい。これは空気吸引手段による吸引能力との関係からカバーガラス８ｃの表面に沿って生じる空気流の速度を測定しながら適切な径や位置に配設するように調整することが好ましい。
【００２９】
前記各実施例では、クリーニング装置をカメラボディに対して固定状態に取着するために、クリーニング装置のフランジ２５にバヨネット片２５ａを設けているが、単にクリーニング装置のフランジ２５をレンズマウント２のマウント面に押し付けるだけでも十分に機能させることは可能であり、クリーニング装置の構成をさらに簡易化する上で有効である。
【００３０】
また、実施例１ではクリーニング装置に電力を供給するためにクリーニング電極端子１２をカメラボディ１の内部に専用端子として設けているが、既存のカメラのレンズマウントに既に設けられてレンズとの間で情報を電気的に授受するためのレンズ情報接点２ａ（図１参照）の一部を利用して電力を供給するようにしてもよい。
【図面の簡単な説明】
【００３１】
【図１】本発明のカメラのカメラボディの外観斜視図である。
【図２】図１のカメラの断面図である。
【図３】実施例１のクリーニング装置の外観斜視図である。
【図４】図３のクリーニング装置の中心軸に沿う断面図とＢ−Ｂ線断面図である。
【図５】クリーニング状態を示す断面図である。
【図６】実施例２のクリーニング装置の外観斜視図である。
【図７】図６のクリーニング装置の中心軸に沿う断面図である。
【図８】実施例２で用いる注射器型吸引器の断面図である。
【図９】実施例２で用いるブロア型吸引器の断面図である。
【符号の説明】
【００３２】
１  カメラボディ
２  レンズマウント
４  可動ミラー
６  シャッタ
８  撮像素子ユニット
８ａ  撮像素子
８ｃ  カバーガラス
９  レリーズボタン
１０  モードダイヤル
１２  クリーニング電極端子
２０，２０Ａ  クリーニング装置
２１  吸引管部
２０  吸引部
２３  矩形ヘッド
２４  吸引口
２５  フランジ
２６  ターボファン
２７  モータ
２８  電極ピン
２９  フィルタ
３０  注射器型吸引器
４０  ブロア型吸引器
【図１】
2005354330.tif 000003
【図２】
2005354330.tif 000004
【図３】
2005354330.tif 000005
【図４】
2005354330.tif 000006
【図５】
2005354330.tif 000007
【図６】
2005354330.tif 000008
【図７】
2005354330.tif 000009
【図８】
2005354330.tif 000010
【図９】
2005354330.tif 000011